(57)【要約】　　　（修正有）【課題】直列ユニットに同軸ケーブルを接続するときの作業性を向上させる。【解決手段】　内部に空洞を有する導電性のシールドケースに、中心導体及び前記中心導体と同心的に設けられた外部導体とを有する複数個の同軸ケーブル接続端子、及び壁面設置用部材を取り付ける壁面設置用部材取付部を設け、前記シールドケースの空洞にプリント回路板を設けてなり、前記各同軸ケーブル接続端子の中心導体同士は前記プリント回路板により電気的に接続され、前記各同軸ケーブル接続端子の外部導体同士は前記シールドケースにより電気的に接続された直列ユニットであって、前記同軸ケーブル接続端子は、前記シールドケースの第１主面に設けられた受信機接続端子、及び前記シールドケースの第１主面と直交する面に、前記第１主面の長辺方向に沿って設けられた入力端子及び出力端子からなる。【選択図】　　　　図１
0003099545.tif 000002
【実用新案登録請求の範囲】
【請求項１】
　内部に空洞を有する導電性のシールドケースに、中心導体及び前記中心導体と同心的に設けられた外部導体とを有する複数個の同軸ケーブル接続端子、及び壁面設置用部材を取り付ける壁面設置用部材取付部を設け、前記シールドケースの空洞にプリント回路板を設けてなり、前記各同軸ケーブル接続端子の中心導体同士は前記プリント回路板により電気的に接続され、前記各同軸ケーブル接続端子の外部導体同士は前記シールドケースにより電気的に接続された直列ユニットであって、
　前記同軸ケーブル接続端子は、前記シールドケースの第１主面に設けられた受信機接続端子、及び前記シールドケースの第１主面と直交する面に、前記第１主面の長辺方向に沿って設けられた入力端子及び出力端子からなり、
　前記シールドケースの前記入力端子及び出力端子を設ける面に、前記プリント回路板と電気的に接続された中心導体及び前記シールドケースと電気的に接続された同軸ケーブルが、前記入力端子及び前記出力端子の数と同じ本数だけ、前記シールドケースから突出するように設けられており、
　前記シールドケースの表面に設けられた各同軸ケーブルの先端に、前記入力端子及び出力端子が設けられていることを特徴とする直列ユニット。
【請求項２】
　前記壁面設置用部材取付部は、前記第１主面と直交し、かつ、前記第１主面の短辺と接する第２主面が開口し、前記第１主面の長辺方向に沿った空間を有する開口部でなることを特徴とする請求項１に記載の直列ユニット。
【考案の詳細な説明】
【技術分野】
【０００１】
　本考案は、直列ユニットに関し、特に、室内の壁面等に設置して室内の受信機と室外のアンテナ等を接続する直列ユニットに適用して有効な技術に関するものである。
【背景技術】
【０００２】
　従来、テレビ受像器等の室内に設置した受信機を、室外に設置したアンテナや送信線に接続するときには、直列ユニットを用いる。
【０００３】
　前記直列ユニット１は、例えば、図１７（ａ）及び図１７（ｂ）に示すように、導電性のシールドケース１０１の第１主面１Ａに受信機接続端子１０２ａ，１０２ｂが設けられ、前記第１主面１Ａと直交する第２主面１Ｂに入力端子１０３及び出力端子１０４が設けられている。前記受信機接続端子１０２ａ，１０２ｂ及び前記入力端子１０３、ならびに出力端子１０４は、同軸ケーブルの先端に取り付けた接続端子（接栓）を取り付ける端子であり、中心導体及び前記中心導体と同心的に設けられた外部導体を有する。このとき、図示は省略するが、前記シールドケース１０１の内部空間には、例えば、プリント回路板が設けられており、前記各端子１０２ａ，１０２ｂ，１０３，１０４の中心導体同士は前記プリント回路板で電気的に接続されている。また、前記各端子１０２ａ，１０２ｂ，１０３，１０４の外部導体同士は前記シールドケース１０１により電気的に接続されている。また、前記プリント回路板には、例えば、フィルター回路が設けられており、前記シールドケース１０１の第１主面１Ａには、フィルター回路のオン／オフを切り替えるスイッチ（フィルタースイッチ）１１２が設けられている。
【０００４】
　また、前記直列ユニット１は、通常、室内の壁、もしくは室内の壁面に取り付けた箱状の部材（以下、アウトレットボックスと称する）に設置される。このとき、前記直列ユニット１には、例えば、図１８に示すように、壁３に設置するための壁面設置用部材２を取り付けるための突起１１０を設けておき、前記突起１１０を利用して前記壁面設置用部材２を取り付けた後、前記壁面設置用部材２と前記壁３等をねじや釘などで固定する。またこのとき、前記壁３には内部空間３Ｂにつながる開口部３Ａを設けておき、前記入力端子１０３及び出力端子１０４が前記壁３の内部空間３Ｂに埋設されるように前記直列ユニット１を設置する。なお、図示は省略するが、前記直列ユニット１を壁３に設置するときには、設置前に、前記壁の内部空間３Ｂに敷設された同軸ケーブルを前記入力端子１０３及び出力端子１０４に接続しておく。
【０００５】
　また、前記直列ユニット１を前記壁に設置したときには、通常、前記受信機接続端子１０２ａ，１０２ｂの保護や、室内の埃や水分が前記壁の開口部を通して内部空間に進入するのを防ぐために、化粧パネルや化粧プレート（図示しない）をかぶせる。このとき、前記化粧パネルは、前記直列ユニット１の第１主面１Ａの周囲に沿って設けた取付部１１１ａ，１１１ｃを利用して取り付ける。
【０００６】
　しかしながら、前記従来の直列ユニット１は、前記入力端子１０３及び出力端子１０４が、前記シールドケース１０１の第２主面１Ｂに固定された状態で設けられており、図１９に示すように、前記シールドケース１０１のプリント回路板を収納するスペース１０１ｃと前記入力端子１０３及び出力端子１０４の距離が近い。そのため、前記直列ユニット１を壁に設置する前の作業、すなわち、壁の内部空間に敷設された同軸ケーブルを前記入力端子１０３及び出力端子１０４と接続する作業を行うときに、図１９及び図２０に示すように、前記シールドケースのプリント回路板が収納されたスペース１０１ｃや隣の端子、あるいは隣の端子に接続された同軸ケーブル５の接続端子（接栓）５０１が邪魔になり、作業性が悪いという問題がある。
【０００７】
　前記入力端子１０３及び出力端子１０４に同軸ケーブル５を接続するときの作業性を向上させる方法として、例えば、図２１（ａ）及び図２１（ｂ）に示すように、前記入力端子１０３及び出力端子１０４が同心軸（中心軸）と直行する方向を回転軸として９０度可動（回転）する直列ユニットが提案されている（例えば、特願２００２−１９２４１０を参照。）。
【０００８】
　前記特願２００２−１９２４１０に記載されたような直列ユニットの場合、例えば、図２２に示すように、前記入力端子１０３を９０度回転させて、前記シールドケース１０１の第１主面１Ａの裏面１Ｄから突出するような状態にすれば、同軸ケーブル５を接続するときに、隣の出力端子１０４やシールドケース１０１のプリント回路板が収納されたスペース１０１ｃ等が邪魔にならない。そのため、同軸ケーブル５を接続するときの作業性が向上する。
【０００９】
　また、前記入力端子１０３は、図２２に示したように９０度回転させて同軸ケーブル５を接続した後、元の方向、すなわち前記シールドケース１０１の第２主面１Ｂから突出するような状態に戻せる。そのため、図２３に示すように、壁３に設置するときには、図１７（ａ）に示したような、従来の直列ユニットと同じ状態で設置することができ、同軸ケーブル５が壁３の内部空間で邪魔になることはなく、壁への設置作業性が低下することもない。
【００１０】
　しかしながら、前記特願２００２−１９２４１０に記載された、前記入力端子１０３及び出力端子１０４が回転する直列ユニットでは、図示は省略するが、前記入力端子１０３及び出力端子１０４の外部導体に突起状の回転支点部を設け、前記回転支点部をシールドケース及び押さえ金具で挟むように支持している。そのため、例えば、各端子の中心導体同士及び外部導体同士の電気的接続を確保するための構成や、回転部分からの電磁波の漏れや進入による信号劣化を防ぐための構成が複雑になり、部品点数も多くなるという問題がある。
【考案の開示】
【考案が解決しようとする課題】
【００１１】
　本考案が解決しようとする問題点は、前記背景技術で説明したように、従来の直列ユニットでは、前記入力端子１０３及び出力端子１０４が前記シールドケース１０１に固定されており、壁の内部空間に敷設された同軸ケーブルを接続するときの作業性が悪いという点である。
【００１２】
　また、他の問題点は、前記入力端子１０３及び出力端子１０４が回転する直列ユニットでは、構成が複雑になる、信号の劣化が起こりやすくなる、部品点数が増加するといった点である。
【００１３】
　本考案の目的は、直列ユニットに同軸ケーブルを接続するときの作業性を向上させることが可能な技術を提供することにある。
【００１４】
　本考案の他の目的は、直列ユニットに同軸ケーブルを接続するときの作業性を向上させ、かつ、簡単な構成にすることが可能な技術を提供することにある。
【００１５】
　本考案の前記ならびにその他の目的と新規な特徴は、本明細書の記述及び添付図面によって明らかになるであろう。
【課題を解決するための手段】
【００１６】
　本考案は、内部に空洞を有する導電性のシールドケースに、中心導体及び前記中心導体と同心的に設けられた外部導体とを有する複数個の同軸ケーブル接続端子、及び壁面設置用部材を取り付ける壁面設置用部材取付部を設け、前記シールドケースの空洞にプリント回路板を設けてなり、前記各同軸ケーブル接続端子の中心導体同士は前記プリント回路板により電気的に接続され、前記各同軸ケーブル接続端子の外部導体同士は前記シールドケースにより電気的に接続された直列ユニットであって、前記同軸ケーブル接続端子は、前記シールドケースの第１主面に設けられた受信機接続端子、及び前記シールドケースの第１主面と直交する面に、前記第１主面の長辺方向に沿って設けられた入力端子及び出力端子からなり、前記シールドケースの前記入力端子及び出力端子を設ける面に、前記プリント回路板と電気的に接続された中心導体及び前記シールドケースと電気的に接続された同軸ケーブルが、前記入力端子及び出力端子の数と同じ本数だけ、前記シールドケースから突出するように設けられており、前記シールドケースの表面に設けられた同軸ケーブルの先端に、前記入力端子及び出力端子が設けられていることを主要な特徴とする。
【００１７】
　また、前記直列ユニットの前記壁面設置用部材取付部は、前記第１主面と直交し、かつ、前記第１主面の短辺と接する第２主面が開口し、前記第１主面の長辺方向に沿った空間を有する開口部でなる。
【考案の効果】
【００１８】
　本考案の直列ユニットは、前記シールドケースの表面に設けた同軸ケーブルの先端に前記入力端子及び出力端子が設けられているので、前記同軸ケーブルの屈曲性を利用することで、前記入力端子及び出力端子の同心軸（中心軸）の向きを自由に変えることができる。そのため、前記直列ユニットを壁に設置する際の、壁の内部空間に敷設された同軸ケーブル（敷設ケーブル）を前記入力端子及び出力端子に接続する作業等の作業性が向上する。
【００１９】
　またこのとき、前記シールドケースに設けた同軸ケーブルは、例えば、従来の同軸ケーブルの先端に接続端子（接栓）を取り付けるときと同様の方法で、前記シールドケースに取り付けることができる。そのため、例えば、特願２００２−１９２４１０に記載された前記入力端子及び出力端子が回転する直列ユニットと比べて、接続部の構成が簡単になり、部品点数の増加も少ない。また、従来の同軸ケーブルの先端に接続端子（接栓）を取り付けるときと同様の方法で前記シールドケースに取り付けることができるので、前記同軸ケーブルの外部導体とシールドケースの接続部分のシールド性を確保することも容易である。
【００２０】
　また、前記壁面設置用部材を取り付けるための開口部が、前記シールドケースの第１主面の長辺方向に沿って設けられている場合、例えば、前記壁面設置用部材に、前記開口部に挿入する挿入部を設け、前記挿入部に、着脱可能な補助プレートを取り付けるときの取り付け方向を変えることで、前記壁面設置用部材と前記シールドケースの受信機接続端子の相対的な位置関係を変えることができる。そのため、１つの壁面設置用部材で、前記直列ユニットを壁に設置したときの、前記受信機接続端子の壁からの突出量を２通りあるいは３通り以上に設定することができる。また、前記シールドケースに設ける開口部を、前記受信機接続端子の同心軸方向に２段以上設ければ、前記壁面設置用部材に前記補助プレートを取り付けなくても、前記受信機接続端子の壁からの突出量を２通り以上に設定することができる。
【００２１】
　以下、本考案について、図面を参照して実施の形態（実施例）とともに詳細に説明する。
なお、実施例を説明するための全図において、同一機能を有するものは、同一符号を付け、その繰り返しの説明は省略する。
【考案を実施するための最良の形態】
【００２２】
　本考案の直列ユニットでは、壁の内部に敷設された同軸ケーブル（以下、敷設ケーブルと称する）を接続する入力端子及び出力端子を、前記シールドケースに設けた同軸ケーブルの先端に設けることで、前記入力端子及び出力端子の同心軸の向きを自由に変えられるようにし、簡単な構成でありながら、前記直列ユニットを壁に設置するときの作業性がよく、かつ、シールド効果の高い直列ユニットを実現する。
【実施例１】
【００２３】
　図１乃至図３は、本考案による実施例１の直列ユニットの概略構成を示す模式図であり、図１（ａ）は正面図及び右側面図、図１（ｂ）は裏面図で、図２は入力端子及び入力端子取付部の内部構成を示す部分拡大図、図３は入力端子の取り付け方法を示す分解図である。
図１乃至図３の各図において、１は直列ユニット、１０１はシールドケース、１０１ａはシールドケースの入出力端子取付用開口部、１０１ｂは入出力端子取付用開口部周囲の突起、１０１ｃはプリント回路板収納スペース、１０２ａ，１０２ｂは受信機接続端子（同軸ケーブル接続端子）、１０３は入力端子（同軸ケーブル接続端子）、１０３ａは入力端子の外部導体、１０３ｂは入力端子の開口部、１０３ｃは入力端子の突起、１０３ｄは入力端子の中心導体、１０４は出力端子（同軸ケーブル接続端子）、１０５は同軸ケーブル、１０５ａは同軸ケーブルの中心導体、１０５ｂは同軸ケーブルの外部導体、１０５ｃは同軸ケーブルの絶縁体、１０６ａ，１０６ｂはかしめリング、１０７は絶縁カバー、１０８はプリント回路板、１０９は蓋、１Ａはシールドケースの第１主面、１Ｂはシールドケースの第２主面、１Ｃはシールドケースの第３主面である。
【００２４】
　本実施例１の直列ユニット１は、図１（ａ）及び図１（ｂ）に示すように、導電性のシールドケース１０１に、中心導体及び前記中心導体と同心的に設けられた外部導体（図示しない）とを有する４個の同軸ケーブル接続端子１０２ａ，１０２ｂ，１０３，１０４が設けられている。
【００２５】
　前記同軸ケーブル接続端子１０２ａ，１０２ｂ，１０３，１０４のうち、前記シールドケース１０１の第１主面１Ａに設けられた２つの端子１０２ａ，１０２ｂは、前記直列ユニット１を室内の壁に設置したときに、前記壁から室内に突出する端子であり、室内の受信機と接続される。以下、前記シールドケース１０１の第１主面１Ａの同軸ケーブル接続端子１０２ａ，１０２ｂを受信機接続端子と称する。
【００２６】
　また、前記同軸ケーブル接続端子の残りの二つの端子１０３，１０４は、図１（ａ）及び図１（ｂ）に示したように、前記シールドケース１０１の前記第１主面１Ａと直交する第２主面１Ｂから突出する同軸ケーブル１０５の先端に設けられている。前記同軸ケーブル１０５の先端に設けられた各端子１０３，１０４は、前記直列ユニット１を室内の壁に設置したときに、壁の内部空間側に位置する端子であり、前記壁の内部空間に敷設された同軸ケーブル（以下、敷設ケーブルと称する）と接続される。以下、前記敷設ケーブルを接続する各同軸ケーブル端子１０３，１０４をそれぞれ、入力端子及び出力端子と称する。このとき、前記各同軸ケーブル接続端子１０３，１０４は、どちらが入力端子であってもよいが、本実施例１では、前記同軸ケーブル接続端子１０３を入力端子とし、前記同軸ケーブル接続端子１０４を出力端子と称する。
【００２７】
　また、前記入力端子１０３は、従来から用いられている、接続端子（接栓）付き同軸ケーブルと同様の構成及び取り付け方法で前記同軸ケーブル１０５に取り付けられている。このとき、前記入力端子１０３は、例えば、図２に示すように、前記外部導体１０３ａの、前記同軸ケーブル１０５を取り付ける面側が開口しており、その開口部１０３ｂの周囲に円筒状の突起１０３ｃが突出している。前記入力端子１０３に前記同軸ケーブル１０５を取り付けるときには、前記同軸ケーブル１０５の中心導体１０５ａ、及び前記中心導体１０５ａと前記外部導体１０５ｂを隔てる絶縁体１０５ｃとを、前記入力端子１０３の外部導体１０３ａの開口部１０３ｂから挿入して、前記同軸ケーブル１０５の中心導体１０５ａと、前記入力端子１０３の中心導体１０３ｄを接続する。またこのとき、前記同軸ケーブル１０５の外部導体１０５ｂは、前記入力端子１０３の外部導体１０３ａに設けられた突起１０３ｃの外周部を囲むようにしておき、かしめリング１０６ａ等で前記突起１０３ｃに固定されている。また、前記入力端子１０３の、前記同軸ケーブル１０５を取り付けた部分は、絶縁カバー１０７で保護する。
【００２８】
　また、前記シールドケース１０１の第２主面１Ｂの、前記同軸ケーブル１０５を取り付ける部分は、前記入力端子１０３の前記同軸ケーブル１０５を取り付ける部分と同様の構成であり、図２及び図３に示すように、前記同軸ケーブル１０５の中心導体１０５ａ及び絶縁体１０５ｃが通る開口部１０１ａの周囲に円筒状の突起１０１ｂが設けられている。そして、前記同軸ケーブル１０５の中心導体１０５ａ及び絶縁体１０５ｃは、前記シールドケース１０１の開口部１０１ａを通し、前記同軸ケーブル１０５の中心導体１０５ａと前記シールドケース１０１の内部空間１０１ｃに設けられたプリント回路板１０８の配線を電気的に接続する。また、前記同軸ケーブル１０５の外部導体１０５ｂは、前記シールドケース１０１に設けた突起１０１ｂの外周を囲むようにしておき、かしめリング１０６ｂ等で前記突起に固定する。
【００２９】
　またこのとき、前記シールドケース１０１は、前記第２主面１Ｂの裏面１Ｃを開口させておき、前記開口部から前記プリント回路板１０８を収納したり、前記同軸ケーブル１０５の中心導体１０５ａとプリント回路板１０８の配線をはんだ付けしたりした後、蓋１０９で開口部をふさぐ。
【００３０】
　また、前記出力端子１０４及び前記出力端子１０４と同軸ケーブル１０５の接続部、ならびに前記同軸ケーブル１０５と前記シールドケース１０１の接続部の構成は、前記入力端子１０３の場合と同じ構成でよいので、詳細な説明は省略する。
【００３１】
　また、前記直列ユニット１は、前記入力端子１０３及び出力端子１０４を設けた部分の構成以外は、従来の直列ユニットと同様の構成でよいので、詳細な説明は省略する。このとき、前記シールドケース１０１の前記第１主面１Ａの外周部には、壁面設置用部材を取り付けるための突起１１０や化粧パネルを取り付ける取付部１１１ａ，１１１ｂ，１１１ｃが設けられている。また、前記シールドケースに収納されたプリント回路板には、フィルター回路，分岐回路，分配回路が設けられており、前記シールドケース１０１の第１主面１Ａには、前記プリント回路板のフィルター回路のオン／オフを切り替えるスイッチ（フィルタースイッチ）１１２を設けておく。
【００３２】
　図４乃至図７は、本実施例１の直列ユニットの作用効果を説明するための模式図であり、図４は壁に設置する方法を説明するための正面図、図５は図４の右側面から見た分解図、図６は敷設ケーブルの接続方法を説明するための図、図７は設置後の様子を示す図である。
【００３３】
　本実施例１の直列ユニット１は、通常、壁の内部空間等に敷設された同軸ケーブル（以下、敷設ケーブルと称する）と、室内にあるテレビ受像器等の受信機を接続するために用いられるものである。そのため、例えば、図４及び図５に示したように、前記シールドケース１０１の突起１１０を利用して壁面設置用部材２を取り付け、前記直列ユニット１の前記入力端子１０３及び出力端子１０４が設けられた部分を前記壁３の開口部３Ａから内部空間３Ｂに埋設するようにして、前記壁面設置用部材２を壁３または壁３に埋め込んだ箱状の取付部材（アウトレットボックス）に固定する。またこのとき、前記直列ユニット１の第１主面１Ａには、前記化粧パネル取付部１１１ａ，１１１ｃを利用して、例えば、前記受信機接続端子１０２ａ，１０２ｂやフィルタースイッチ１１２を保護するための化粧パネル４を取り付ける。また、図示は省略するが、前記化粧パネル４は、図４及び図５に示したように、前記第１主面１Ａ全体を覆う一体的な化粧パネルであってもよいし、前記各受信機接続端子１０２ａ，１０２ｂ上、及び前記フィルタースイッチ１１２上のそれぞれに、独立して着脱可能な３個に分割された化粧パネルであってもよい。
【００３４】
　また、前記壁面設置用部材２を利用して前記直列ユニット１を壁３に設置するときには、設置前に、前記壁３の内部空間３Ｂに敷設された同軸ケーブル（敷設ケーブル）を室内に引き出して、前記直列ユニット１の入力端子１０３及び出力端子１０４に接続する。このとき、本実施例１の直列ユニット１のように、前記シールドケース１０１の第２主面１Ｂに取り付けた同軸ケーブル１０５の先端に前記入力端子１０３及び出力端子１０４が設けられていると、図６に示すように、前記同軸ケーブル１０５の屈曲性を利用して、前記入力端子１０３の向きを、前記直列ユニット１の第１主面１Ａの裏面１Ｄから突出させたときのような向きに変えることができる。そのため、例えば、前記敷設ケーブル５の接続端子（接栓）５０１と前記入力端子１０３を接続するときに、隣の出力端子１０４や、前記シールドケース１０１のプリント回路板収納スペース１０１ｃ等が邪魔にならないような方向に前記入力端子１０３を向けて前記敷設ケーブル５を接続することができ、作業性が向上する。
【００３５】
　また、前記直列ユニット１の入力端子１０３及び出力端子１０４に前記敷設ケーブル５を接続した後、前記直列ユニット１に取り付けた壁面設置用部材２を壁３に固定するときには、図７に示すように、前記入力端子１０３及び出力端子１０４の向きは、前記直列ユニット１の第２主面１Ｂから突出した状態、すなわち、従来の直列ユニットの入力端子及び出力端子と同じ向きなので、前記壁３の内部空間３Ｂで前記敷設ケーブル５に不要な曲げ変形が加わるのを防げる。
【００３６】
　以上説明したように、本実施例１の直列ユニット１によれば、前記入力端子１０３及び出力端子１０４の同心軸の向きを自由に変えることができるので、壁３に設置するときの作業性が向上する。またこのとき、前記入力端子１０３及び出力端子１０４の同心軸の向きは、必要なときだけ変えることができるので、壁３に設置した後、前記敷設ケーブル５に不要な曲げ変形が加わることを防げる。
【００３７】
　また、前記シールドケース１０１と前記入力端子１０３及び出力端子１０４の間に設けた同軸ケーブル１０５の屈曲性を利用して、前記入力端子１０３及び出力端子１０４の同心軸の向きを変えるので、例えば、特願２００２−１９２４１０に記載された入力端子及び出力端子が回転する直列ユニットと比べて、構成が簡略化される。また、前記同軸ケーブル１０５と前記シールドケース１０１の接続部は、前記同軸ケーブル１０５と前記入力端子１０３の接続部と同様の方法、すなわち、従来の接栓付き同軸ケーブルと同じ方法で接続されるので、取り付け方法も容易であり、かつ、十分なシールド効果を得ることができる。
【実施例２】
【００３８】
　図８乃至図１３は、本考案による実施例２の直列ユニットの概略構成を示す模式図であり、図８は正面図及び右側面図、図９（ａ）は壁面設置用部材取付部の構成を示す部分拡大図、図９（ｂ）は上面図、図１０は壁面設置用部材の取り付け方法を説明するための図、図１１は壁面設置用部材の構成を示す図、図１２及び図１３はそれぞれ作用効果を説明するための図である。
【００３９】
　本実施例２の直列ユニット１の基本的な構成は、前記実施例１の直列ユニット１と同様であり、図８に示すように、前記シールドケース１０１の第１主面１Ａに前記受信機接続端子１０２ａ，１０２ｂが設けられ、前記シールドケース１０１の第１主面１Ａと直交する第２主面１Ｂに設けられた同軸ケーブル１０５の先端に前記入力端子１０３及び出力端子１０４が設けられている。
【００４０】
　また、前記シールドケース１０１の第１主面１Ａの外周部には、壁面設置用部材を取り付けるための突起１１０、及び化粧パネルを取り付けるための化粧パネル取付部１１１ａ，１１１ｂ，１１１ｃが設けられている。
【００４１】
　また、本実施例２の直列ユニット１では、前記壁面設置用部材を取り付けるための突起１１０とは別に、図９（ａ）及び図９（ｂ）に示すように、前記シールドケース１０１の第２主面１Ｂの裏面１Ｃ、すなわち、前記第１主面１Ａの短辺と接する第３主面１Ｃに、前記第３主面１Ｃ側が開口し、前記第１主面１Ａに沿った空間を有する壁面設置用部材取付部１１３が設けられている。また、図示は省略するが、前記第１主面１Ａの、前記第３主面１Ｃが接する短辺と対向する短辺側の第４主面１Ｅにも、同様の開口部（壁面設置用部材取付部１１３）が設けられている。
【００４２】
　本実施例２の直列ユニット１を壁に設置するときには、例えば、図１０に示すように、ねじや釘を用いて壁に固定するための開口部６０１Ａが設けられた壁面固定部６０１と、前記直列ユニット１に設けられた壁面設置用部材取付部（開口部）１１３に挿入する挿入部６０２からなり、前記挿入部６０２には、補助プレート６０３が取り付けられている壁面設置用部材６を用いる。このとき、前記補助プレート６０３は、前記挿入部６０２に着脱可能であり、図１１に示すように、前記挿入部６０２の第１の面６０２Ａ側及び第２の面６０２Ｂ側のどちらにも着脱可能であるとする。またこのとき、前記挿入部６０２は、前記補助プレート６０３を第１の面６０２Ａ及び第２の面６０２Ｂのどちらに取り付けた状態でも、前記シールドケース１０１の開口部（壁面設置用部材取付部）１１３に挿入して固定することが可能であるとする。
【００４３】
　このとき、本実施例２の直列ユニットを、図１０に示したような壁面設置用部材６を用いて壁３に設置するときに、例えば、図１２に示すように、前記補助プレート６０３を前記挿入部６０２の第１の面６０２Ａに取り付けておいた場合の、前記壁３から化粧パネル４ａ，４ｂ，４ｃ（受信機接続端子１０２ａ，１０２ｂ）までの距離をＤ１とする。
【００４４】
　一方、図１３に示すように、前記補助プレート６０３を前記挿入部６０２の第２の面６０２Ｂに取り付けておいた場合の、前記壁３から化粧パネル４ａ，４ｂ，４ｃ（受信機接続端子１０２ａ，１０２ｂ）までの距離をＤ２とすると、前記距離Ｄ２は、前記補助プレート６０３の厚さ分だけ、前記距離Ｄ１より大きくなる。そこで、前記補助プレート６０３の厚さを約２mmとし、前記距離Ｄ１が約８mmとなるように、前記壁面設置用部材６のサイズを設定しておけば、一つの壁面設置用部材６で、壁３からの突出量が８mmの標準型化粧プレート、及び壁からの突出量が１０mmのワイド型化粧プレートのどちらとも組み合わせて使用することができる。
【００４５】
　また、図１２及び図１３に示したように、前記各受信機接続端子１０２ａ，１０２ｂ上、及びその間のフィルタースイッチ１１２が設けられた領域上のそれぞれに３個の化粧パネル４ａ，４ｂ，４ｃを独立して着脱できるようにしておけば、前記フィルタースイッチ１１２上の化粧パネル４ｃを取り外すことで、例えば、ＡＣコンセントを設置するときに用いられる開口部が２つの化粧プレートと組み合わせることもできる。
【００４６】
　また、前記壁面設置用部材取付部（開口部）１１３とともに、前記壁面設置用部材を取り付けるための突起１１０を設けておけば、図１０に示したような壁面設置用部材６だけでなく、従来のフレーム状の壁面設置用部材２を取り付けることもできる。
【００４７】
　以上説明したように、本実施例２の直列ユニット１によれば、一つの壁面設置用部材６で、壁３からの前記受信機接続端子１０２ａ，１０２ｂ（化粧パネル４ａ，４ｂ，４ｃ）の突出量を２通りに設定することができる。そのため、前記直列ユニット１を壁３に設置したときに使用する標準型及びワイド型のどちらの化粧プレートとも組み合わせて利用することができる。
【００４８】
　また、３個の化粧パネル４ａ，４ｂ，４ｃを独立して着脱可能であるため、例えば、ＡＣコンセントや照明のスイッチ等、前記直列ユニットと同様の方法で壁面に設置するユニットで使用する部材との共用性（流用性）が高くなる。
【００４９】
　図１４乃至図１６は、前記実施例２の直列ユニットの応用例を説明するための模式図であり、図１４（ａ）は壁面設置用部材取付部の構成を示す部分拡大図、図１４（ｂ）は上面図、図１５及び図１６は作用効果を説明するための図である。なお、図１４（ａ）及び図１４（ｂ）の各図はそれぞれ、図９（ａ）及び図９（ｂ）の同じ位置から見た図である。
【００５０】
　前記実施例２では、図１０に示したように、前記壁面設置用部材６の挿入部６０２に補助プレート６０３を取り付けるときの取り付け方向を変えることで、壁３から前記化粧パネル４ａ，４ｂ，４ｃ（受信機接続端子１０２ａ，１０２ｂ）の先端面までの距離Ｄ１，Ｄ２を変えられる直列ユニットについて説明したが、これに限らず、他の方法（手段）で、壁から化粧パネルの先端面までの距離を変えることもできる。
【００５１】
　このとき、前記壁３から化粧パネル４ａ，４ｂ，４ｃの先端面までの距離を２通りに設定することができる方法としては、例えば、図１４（ａ）に示すように、前記直列ユニット１に設ける壁面設置用部材取付部（開口部）１１３を、前記受信機接続端子１０２ａ，１０２ｂの同心軸方向に沿って２カ所設ける方法が考えられる。以下、前記開口部１１３のうち、前記シールドケースの第１主面１Ａに近い方を第１開口部１１３ａ、遠い方を第２開口部１１３ｂと称する。この場合も、図１０に示したような挿入部６０２を有する壁面設置用部材６を利用して壁に設置するが、前記補助プレート６０３は必要ない。
【００５２】
　前記壁面設置用部材取付部（開口部）が第１開口部１１３ａ、第２開口部１１３ｂからなる直列ユニット１の場合、例えば、図１５に示すように、前記シールドケース１０１の第１主面１Ａに近い方の第１開口部１１３ａに前記壁面設置用部材６の挿入部６０２を挿入したときに、前記壁面設置用部材６の壁と接する面６Ａから前記受信機接続端子１０２ａの先端までの距離Ｄ３が約８mmになるようにしておけば、前記標準型の化粧プレートと組み合わせて使用することができる。
【００５３】
　また、前記第１開口部１０３ａと第２開口部１０３ｂの間隔を２mmにしておけば、図１６に示すように、前記シールドケース１０１の第１主面１Ａから遠い方の第２開口部１１３ｂに前記壁面設置用部材６の挿入部６０２を挿入したときに、前記壁面設置用部材６の壁と接する面６Ａから前記受信機接続端子１０２ａの先端までの距離Ｄ４が約１０mmになる。そのため、ワイド型の化粧プレートと組み合わせて使用することもできる。
【００５４】
　また、前記実施例２の直列ユニットでは、前記壁面設置用部材取付部（開口部）１１３は、前記シールドケース１０１に直接設けているが、これに限らず、例えば、前記シールドケース１０１とは別の材料を用いて形成した開口部１１３を有する部材を前記シールドケース１０１に取り付けてもよい。
【００５５】
　また、前記実施例２及び図１４乃至図１６に示した例では、一つの壁面設置用部材６で、壁３から受信機接続端子１０２ａ，１０２ｂ（化粧パネル４ａ，４ｂ，４ｃ）の先端までの距離を２通りに設定することができる方法（手段）について説明したが、これに限らず、３通り以上、あるいは連続的な無段階設定が可能な方法（手段）であってもよいことはいうまでもない。
【００５６】
　以上、本考案を、前記実施例に基づき具体的に説明したが、本考案は、前記実施例に限定されるものではなく、その要旨を逸脱しない範囲において、種々変更可能であることはもちろんである。
【図面の簡単な説明】
【００５７】
【図１】本考案による実施例１の直列ユニットの概略構成を示す模式図であり、図１（ａ）は正面図及び右側面図、図１（ｂ）は裏面図である。
【図２】本考案による実施例１の直列ユニットの概略構成を示す模式図であり、入力端子及び入力端子取付部の内部構成を示す部分拡大図である。
【図３】本考案による実施例１の直列ユニットの概略構成を示す模式図であり、入力端子の取り付け方法を示す分解図である。
【図４】本実施例１の直列ユニットの作用効果を説明するための模式図であり、壁に設置する方法を説明するための正面図である。
【図５】本実施例１の直列ユニットの作用効果を説明するための模式図であり、図４の右側面から見た分解図である。
【図６】本実施例１の直列ユニットの作用効果を説明するための模式図であり、敷設ケーブルの接続方法を説明するための図である。
【図７】本実施例１の直列ユニットの作用効果を説明するための模式図であり、設置後の様子を示す図である。
【図８】本考案による実施例２の直列ユニットの概略構成を示す模式図であり、正面図及び右側面図である。
【図９】本考案による実施例２の直列ユニットの概略構成を示す模式図であり、図９（ａ）は壁面設置用部材取付部の構成を示す部分拡大図、図９（ｂ）は上面図である。
【図１０】本考案による実施例２の直列ユニットの概略構成を示す模式図であり、壁面設置用部材の取り付け方法を説明するための図である。
【図１１】本考案による実施例２の直列ユニットの概略構成を示す模式図であり、壁面設置用部材の構成を示す図である。
【図１２】本考案による実施例２の直列ユニットの概略構成を示す模式図であり、作用効果を説明するための図である。
【図１３】本考案による実施例２の直列ユニットの概略構成を示す模式図であり、作用効果を説明するための図である。
【図１４】前記実施例２の直列ユニットの応用例を説明するための模式図であり、図１４（ａ）は壁面設置用部材取付部の構成を示す部分拡大図、図１４（ｂ）は上面図である。
【図１５】前記実施例２の直列ユニットの応用例を説明するための模式図であり、作用効果を説明するための図である。
【図１６】前記実施例２の直列ユニットの応用例を説明するための模式図であり、作用効果を説明するための図である。
【図１７】従来の直列ユニットの概略構成を示す模式図であり、図１７（ａ）は正面図及び右側面図、図１７（ｂ）は裏面図である。
【図１８】直列ユニットの設置方法を説明するための模式図である。
【図１９】図１８に示した直列ユニットの課題を説明するための模式図である。
【図２０】図１８に示した直列ユニットの課題を説明するための模式図である。
【図２１】従来の入力端子及び出力端子が回転する直列ユニットの概略構成を示す模式図であり、図２１（ａ）は右側面図、図２１（ｂ）は裏面図である。
【図２２】図２１に示した直列ユニットの特徴を示す模式図である。
【図２３】図２１に示した直列ユニットの特徴を示す模式図である。
【符号の説明】
【００５８】
　１…直列ユニット
　１０１…シールドケース
　１０１ａ…シールドケースの入出力端子取付用開口部
　１０１ｂ…入出力端子取付用開口部周囲の突起
　１０１ｃ…プリント回路板収納スペース、
　１０２ａ，１０２ｂ…受信機接続端子（同軸ケーブル接続端子）
　１０３…入力端子（同軸ケーブル接続端子）
　１０３ａ…入力端子の外部導体
　１０３ｂ…入力端子の開口部
　１０３ｃ…入力端子の突起
　１０３ｄ…入力端子の中心導体
　１０４…出力端子（同軸ケーブル接続端子）
　１０５…同軸ケーブル
　１０５ａ…同軸ケーブルの中心導体
　１０５ｂ…同軸ケーブルの外部導体
　１０５ｃ…同軸ケーブルの絶縁体
　１０６ａ，１０６ｂ…かしめリング
　１０７…絶縁カバー
　１０８…プリント回路板
　１０９…蓋
　１１０…壁面設置用部材取付部（突起）
　１１１ａ，１１１ｂ，１１１ｃ…化粧パネル取付部
　１１２…フィルタースイッチ
　１１３，１１３ａ，１１３ｂ…壁面設置用部材取付部（開口部）
　１Ａ…シールドケースの第１主面
　１Ｂ…シールドケースの第２主面
　１Ｃ…シールドケースの第３主面
　１Ｄ…シールドケースの第１主面の裏面
　１Ｅ…シールドケースの第４主面
　２…フレーム状の壁面設置用部材
　３…壁
　４，４ａ，４ｂ，４ｃ…化粧パネル
　５…同軸ケーブル（敷設ケーブル）
　５０１…敷設ケーブルの接続端子（接栓）
　６…壁面設置用部材
　６０１…壁面設置用部材６の壁面固定部
　６０２…壁面設置用部材６の挿入部
　６０３…壁面設置用部材６の補助プレート
【図１】
0003099545.tif 000003
【図２】
0003099545.tif 000004
【図３】
0003099545.tif 000005
【図４】
0003099545.tif 000006
【図５】
0003099545.tif 000007
【図６】
0003099545.tif 000008
【図７】
0003099545.tif 000009
【図８】
0003099545.tif 000010
【図９】
0003099545.tif 000011
【図１０】
0003099545.tif 000012
【図１１】
0003099545.tif 000013
【図１２】
0003099545.tif 000014
【図１３】
0003099545.tif 000015
【図１４】
0003099545.tif 000016
【図１５】
0003099545.tif 000017
【図１６】
0003099545.tif 000018
【図１７】
0003099545.tif 000019
【図１８】
0003099545.tif 000020
【図１９】
0003099545.tif 000021
【図２０】
0003099545.tif 000022
【図２１】
0003099545.tif 000023
【図２２】
0003099545.tif 000024
【図２３】
0003099545.tif 000025